(57)【要約】【課題】  快適な睡眠または姿勢を矯正する効果をより向上させることが可能なマット一体型枕を提供する。【解決手段】  マット一体型枕１０は、枕１１とマット１５が一体成形されている。枕１１には、仰臥時に使用者の頸部を支えるための凸部１３が形成されている。枕１１には、凸部１３をはさんでマット１５と反対側に、凹部１２が形成されている。マット１５は、中央縦方向に、上側に高くなった盛り上がり部１６ｃが形成されている。盛り上がり部１６ｃの両側部１６ｓは、盛り上がり部１６ｃよりも低くなっている。マット１５は、平面形状において先端側の幅Ｗ２が枕側の幅Ｗ１よりも狭くなったほぼ台形となっている。マット１５の先端部１７は、端に行くほど高さが低くなるよう傾斜している。  これらの形状により、マット一体型枕１０において快適な睡眠または姿勢を矯正する効果を向上させることができる。【選択図】  図１
0003217333.tif 000002
【実用新案登録請求の範囲】
【請求項１】
枕と背中を支えるマットとが一体成形されたマット一体型枕であって、
使用者の頭部および背中の重さによって変形する程度の弾性を有するウレタン素材で形成されており、
前記マットの縦方向の長さは、仰臥した使用者の少なくとも胸より上を支え得る長さであり、
前記マットの横幅は、少なくとも枕と接合部分近傍において、仰臥した使用者の肩を支えうる幅であり、
前記枕は、
少なくとも前記マットとの接合部分において、前記マットと同等以上の横幅を有しており、
前記マットとの接合部分において、仰臥した使用者の頸部を支える凸部が形成されており、
前記枕およびマットの上面は、前記凸部以外に横幅方向に伸びる凸部が形成されていない滑らかな形状をなしているマット一体型枕。
【請求項２】
請求項１記載のマット一体形枕であって、
前記凸部は、仰臥した使用者の頸部のＳ字カーブよりも頂部が高くなる形状であるマット一体形枕。
【請求項３】
請求項１または２記載のマット一体型枕であって、
前記マットは、横幅方向の中央部が、両側部よりも高くなるよう上に凸に盛り上がった形状となっているマット一体型枕。
【請求項４】
請求項１〜３いずれか記載のマット一体型枕であって、
前記マットは、枕と接合されていない先端の高さが徐々に低くなるよう傾斜しているマット一体型枕。
【請求項５】
請求項１〜４いずれか記載のマット一体型枕であって、
前記枕の両側部が中央部よりも高い形状となっているマット一体型枕。
【請求項６】
請求項１〜４いずれか記載のマット一体型枕であって、
前記マットの平面形状は、枕と接合されていない先端側で横幅が狭くなっているマット一体型枕。
【請求項７】
請求項１〜４いずれか記載のマット一体型枕であって、
前記凸部の平面形状は、前記マットとの境界がマットの先端からみて凸となる円弧状になっているマット一体型枕。
【請求項８】
請求項１〜４いずれか記載のマット一体型枕であって、
前記枕は、凸部より頭部側に、使用者の頭部を支えるために滑らかに凹んだ凹部が横幅方向の中央に形成されているマット一体型枕。
【請求項９】
請求項１〜４いずれか記載のマット一体型枕であって、
前記枕およびマットの上面は、前記凸部を除き、該枕からマットの先端に向けて傾斜するほぼ平面のスロープとなっているマット一体型枕。
【請求項１０】
請求項９記載のマット一体型枕であって、
前記スロープの傾斜角度は約１５度であるマット一体型枕。
【請求項１１】
請求項１〜４いずれか記載のマット一体型枕であって、
前記マットは、その先端が、仰臥した使用者の胸部に至る長さであり、
前記凸部は、該マット一体型枕の縦方向のほぼ中央に形成されているマット一体型枕。
【請求項１２】
請求項１〜４いずれか記載のマット一体型枕であって、
前記枕およびマットは、全体がほぼ一定の横幅となっているマット一体型枕。
【考案の詳細な説明】
【技術分野】
【０００１】
本考案は、枕とマットが一体となったマット一体型枕に関する。
【背景技術】
【０００２】
従来、快眠を得る、姿勢を矯正するなどの目的に応じて枕の形状が種々、工夫されている。例えば、特許文献１は、背骨に沿ってあてる棒体を有し、仰臥して使用することにより胸を十分広げることができるＴ字形状の枕を開示している。また、特許文献２は、背中の全体を矯正して姿勢を改善するための二等辺三角形状の枕が開示されている。
【先行技術文献】
【特許文献】
【０００３】
【特許文献１】特開２０１０−７５６４１号公報
【特許文献２】特開２００８−５８８１号公報
【考案の概要】
【考案が解決しようとする課題】
【０００４】
しかし、従来の枕は、快適な睡眠または姿勢を矯正する効果を得るという観点から、まだ改善の余地が残されていた。本考案は、かかる効果をより向上させることが可能なマット一体型枕を提供することを目的とする。
【課題を解決するための手段】
【０００５】
本考案は、
枕と背中を支えるマットとが一体成形されたマット一体型枕であって、
使用者の頭部および背中の重さによって変形する程度の弾性を有するウレタン素材で形成されており、
前記マットの縦方向の長さは、仰臥した使用者の少なくとも胸より上を支え得る長さであり、
前記マットの横幅は、少なくとも枕と接合部分近傍において、仰臥した使用者の肩を支えうる幅であり、
前記枕は、
少なくとも前記マットとの接合部分において、前記マットと同等以上の横幅を有しており、
前記マットとの接合部分において、仰臥した使用者の頸部を支える凸部が形成されており、
前記枕およびマットの上面は、前記凸部以外に横幅方向に伸びる凸部が形成されていない滑らかな形状をなしているマット一体型枕とすることができる。
【０００６】
本考案によれば、枕とマットとが一体型となっているため、両者の位置関係がずれることなく、また、ずれることを心配せず、使用することができる。
マットは、少なくとも胸より上を支える長さとすることにより、使用者の背面を十分に支えることができる。この結果、就寝時に上半身をやや持ち上げるような姿勢をとることができ、首への負担を軽減するとともに、快適な睡眠を与えることが可能となる。本考案において、マットの長さは種々決めうるが、例えば、使用者の胸までの長さ、腰までの長さとすることができる。
また、マットは肩を支えうる幅を有しているため、首に荷重が集中することを回避でき、首への負担を軽減することができる。
枕は、接合部分でマットと同等以上の横幅を有しているため、寝返りを打っても、枕、マット双方によって支えられる状態を維持できる。
枕に形成された凸部は、仰臥状態で、使用者の頸部を背面側から支えることができる。一般に頸椎は、側面からみて、いわゆるＳ字カーブを描いた状態が適正であるとされているが、凸部は、このＳ字カーブに添うように頸部を支える機能を果たすことができる。こうすることにより、頸椎が適正な状態にある使用者にとっては頸部の負担を軽減し、頸椎が直線状になったいわゆるストレートネックの使用者に対しては、適正なＳ字カーブが達成できるよう矯正する機能を果たすことができる。
そして、本考案のマット一体型枕は、この凸部以外には、目立った凸部が形成されない滑らかな形状をなしている。このため、型に入れたウレタン素材を発泡させた場合でも、型からの取り外しが容易となり、製造工程、製造コストを抑えることが可能となる。
【０００７】
本考案においては、マット一体型枕の形状を定める際に、使用者の体格を考慮することがある。かかる場合には、いわゆるオーダーメイドのように特定の使用者の体格に合わせるものとしてもよいし、成人、青年、少年などの一般的な体格を想定してもよい。一般的な体格に基づいて形状を定める際には、その平均値を基準としてもよいし、体格のばらつきを踏まえて所定割合以上の使用者の体格をカバーできるように形状を決めても良い。
【０００８】
本考案は、
前記凸部は、仰臥した使用者の頸部のＳ字カーブよりも頂部が高くなる形状であるマット一体形枕としてもよい。
【０００９】
本考案は、弾性を有するウレタン素材で成形されているため、使用時には凸部がＳ字カーブに自然に添うように変形する。従って、上記態様のように、頭部の頂部を高くしておくことにより、凸部がＳ字カーブに適度な荷重を与えることができ、頸部をしっかりと支持することができる。凸部の高さは、ウレタン素材の弾性を考慮して、使用時に頸部に過度な荷重がかからないよう調整すればよい。
【００１０】
本考案において、
前記マットは、横幅方向の中央部が、両側部よりも高くなるよう上に凸に盛り上がった形状となっているマット一体型枕としてもよい。
【００１１】
こうすることにより、仰臥したときに、胸を開き背筋を伸ばすように背面を支えることができる。普段、うつむき姿勢をとることが多く、両肩が前方に巻き込むいわゆる巻き肩姿勢や猫背の使用者に対しては、適度なストレッチ効果および矯正効果を与えることもできる。本考案は、弾力性を有する素材で形成されており、盛り上がった部分も体重によって沈み込むため、体重とのバランスで姿勢矯正のための荷重が適度に調整される利点もある。
【００１２】
本考案において、
前記マットは、枕と接合されていない先端の高さが徐々に低くなるよう傾斜しているマット一体型枕としてもよい。
【００１３】
こうすることにより、マットの先端と、床面またはマットの下に敷いた寝具との連続性が確保され、違和感・異物感なくマットを利用することができる。本考案は、弾性のある素材で形成されているため、マットの先端の厚みは必ずしも厚さ０である必要はなく、先端は使用者が仰臥したときに違和感・異物感を覚えない程度の高さとなっていれば良い。
上記態様における傾斜は、マット全体に設けられていても良いし、マットの先端近傍の範囲に設けられていて良い。
【００１４】
本考案において、
前記枕の両側部が中央部よりも高い形状となっているマット一体型枕としてもよい。
【００１５】
こうすることにより、使用者が寝返りをうち、横臥姿勢となったときでも、頭部を適度な高さに維持することができる。
また仰臥姿勢においては、枕の両側が高くなっていることにより、一層、安定感を与えることができる。
【００１６】
本考案において、
前記マットの平面形状は、枕と接合されていない先端側で横幅が狭くなっているマット一体型枕としてもよい。
【００１７】
マットの平面形状が、台形または三角形に類似した形状となる態様である。こうすることにより、仰臥姿勢における使用者の前腕部分を自然にマットから両側に外れた部分に位置させることができ、使用者に安定感を与えることができる。また、胸を開き背筋を伸ばす効果を一層高めることができる。
【００１８】
本考案において、
前記凸部の平面形状は、前記マットとの境界がマットの先端からみて凸となる円弧状になっているマット一体型枕としてもよい。
【００１９】
こうすることにより、凸部とマットとの境界が、仰臥した使用者の肩に添う状態となり、一層、安定して頭部及び背面を支えることが可能となる。
【００２０】
本考案において、
前記枕は、凸部より頭部側に、使用者の頭部を支えるために滑らかに凹んだ凹部が横幅方向の中央に形成されているマット一体型枕としてもよい。
【００２１】
こうすることにより、使用者の頭部を一層、安定して支えることが可能となる。
【００２２】
本考案において、
前記枕およびマットの上面は、前記凸部を除き、該枕からマットの先端に向けて傾斜するほぼ平面のスロープとなっているマット一体型枕としてもよい。
【００２３】
就寝時に、いわゆる頭に血が上る状態を抑制するためには、頭部を若干、高くすることが好ましいが、かかる効果を得るために枕を高くすれば、首に負担がかかるという問題が生じる。上記態様によれば、背面から枕まで全体をスロープ状に支えるため、首への負担なく頭部を高くする姿勢をとることができ、快適な睡眠を得ることができる。本考案は、弾性のある素材で形成されているため、使用者の頭部および背面の重みによって、マット一体型枕のスロープが使用者の背面、頸部、および頭部に添うように適度に変形でき、一層、違和感なく背面から頭部を支えることが可能となる。
【００２４】
上述のようにスロープとなっている態様において、
前記スロープの傾斜角度は約１５度であるものとしてもよい。
【００２５】
種々の形状で試験した結果、かかる角度が、快適な睡眠を得るために最も効果的であることが見いだされた。
【００２６】
本考案においては、
前記マットは、その先端が、仰臥した使用者の胸部に至る長さであり、
前記凸部は、該マット一体型枕の縦方向のほぼ中央に形成されているマット一体型枕としてもよい。
【００２７】
こうすることにより、使用者の胸部までを支えることができる。また、凸部をほぼ中央に形成することにより、枕の縦方向の長さを十分に確保することができるため、使用者に安心感を与えることができる。さらに、頭部を高く支持するのに十分な弾性力を与えることができ、頭部を適度な高さに安定して支えることが可能となる。
【００２８】
本考案においては、
前記枕およびマットは、全体がほぼ一定の横幅となっているマット一体型枕としてもよい。
【００２９】
こうすることで、使用者は仰臥位置が横方向にずれることを心配せずにマット一体型枕を利用することができる。また、背面を支える荷重をほぼ均一化できる利点もある。
【００３０】
本考案は、上述した種々の特徴を必ずしも全て備えている必要はなく、適宜、その一部を省略したり組み合わせたりして構成してもよい。
【図面の簡単な説明】
【００３１】
【図１】実施例１のマット一体型枕１０の形状を示す説明図である。
【図２】実施例１のマット一体型枕１０の使用状態を示す説明図である。
【図３】実施例２のマット一体型枕１０の形状を示す説明図である。
【図４】実施例２のマット一体型枕２０の使用状態（平面）を示す説明図である。
【図５】実施例２のマット一体型枕２０の使用状態（側面）を示す説明図である。
【考案を実施するための形態】
【実施例１】
【００３２】
図１は、実施例１のマット一体型枕１０の形状を示す説明図である。図１（ａ）には斜視図、図１（ｂ）には平面図、図１（ｃ）には側面図をそれぞれ示した。マット一体型枕１０は、ジェルとウレタンの混合素材で形成されており、弾性によって、柔軟性と復元力を実現している。以下、マット一体型枕１０の形状について説明するが、マット一体型枕１０は、このように弾性を有する素材で形成されているため、使用者の頭部や背中の重みで適宜、変形し、使用者に過度の荷重や負担がかかることを自然に回避することができる。
【００３３】
図１（ａ）に示す通り、マット一体型枕１０は、枕１１とマット１５が一体成形されている。枕１１には、仰臥時に使用者の頸部を支えるための凸部１３（１３ｃ、１３ｓ）が形成されている。凸部１３の両側部１３ｓは、中央部１３ｃよりも高くなっている。こうすることにより使用者が寝返りをうち横臥したとき、両側部１３ｓの部分が頭部を適度な高さに支持することができる。
マット１５は、中央縦方向に、上側に高くなった盛り上がり部１６ｃが形成されている。盛り上がり部１６ｃは、仰臥した使用者の背骨を持ち上げるように支えることになり、使用者の背筋を伸ばすストレッチ効果および姿勢の矯正効果を与えることができる。
盛り上がり部１６ｃの両側部１６ｓは、盛り上がり部１６ｃよりも低くなっている。こうすることにより、仰臥した使用者は、背骨部分が肩よりも高く持ち上げられ、胸が開かれた姿勢となるため、使用者に対してストレッチ効果および姿勢の矯正効果を与えることができる。
【００３４】
図１（ｂ）には、マット一体型枕１０の平面形状を示した。図示するように、凸部１３（１３ｃ、１３ｓ）は、枕１１とマット１５との接合部分に横幅方向にわたって形成されている。先に説明した通り、凸部１３の両側部１３ｓは、中央部１３ｃよりも高くなっている。また、枕１１には、凸部１３をはさんでマット１５と反対側に、凹部１２が形成されている。凹部１２は、頭部を支える部分であり、実施例では滑らかな形状の凹みとなっている。
枕１１とマット１５との境界線Ｌは、直線状としてもよいが、実施例１では、頭部側に凸に湾曲する曲線とした。こうすることで、仰臥時に凸部１３を使用者の肩に添わせることができる。
マット１５は、平面形状において先端側の幅Ｗ２が枕側の幅Ｗ１よりも狭くなったほぼ台形となっている。幅Ｗ２をさらに狭くして、三角形としてもよい。かかる形状の利点については後述する。もっとも、かかる形状にする必然性はなく、幅Ｗ２と幅Ｗ１とがほぼ同じの矩形としても差し支えない。
【００３５】
図１（ｃ）には、マット一体型枕１０の側面形状を示した。既に説明した通り、枕１１には凸部１３が形成されている。凸部１３の高さは、その頂部が、仰臥した使用者の頸椎のＳ字カーブの頂部よりも高くなるように決められている。こうすることにより、仰臥したときに凸部１３が適度に変形し、使用者の頸部を支えることができる。凸部１３の高さは、素材の弾性力を踏まえて、使用者の頸部に過度な荷重がかからない範囲で決めればよい。
マット１５には、既に説明した通り、盛り上がり部１６ｃが形成されており、その両側部１６ｓは、盛り上がり部１６ｃよりも低くなっている。また、マット１５の先端部１７は、端に行くほど高さが低くなるよう傾斜している。こうすることで、使用者は、マット１５の先端と、床面またはマット１５の下に敷いた寝具との境界に違和感や異物感を覚えることなく快適にマット一体型枕１０を使用することができる。
【００３６】
図２は、実施例１のマット一体型枕１０の使用状態を示す説明図である。使用者が仰臥した状態を示した。
マット１５は、使用者のほぼ腰までを支える長さとなっている。マット１５の長さは、成人一般の体格における、肩から腰までの長さを基準に決めることができる。成人の平均値としてもよいし、成人の体格のばらつきを考慮して、所定の割合、例えば８０％程度などの成人の肩から腰までを支えられる長さを決めても良い。
【００３７】
仰臥したとき、凸部１３が使用者の頸部を支えている。両側部１３ｓが中央部よりも高くなっているため、使用者は包まれるような安心感、安定感を感じることができる。また、枕１１の凹部１２が頭部を安定して支えることができ、使用者に快適な睡眠を与えることができる。
マット１５は、図１（ｂ）で説明した通り、先端の幅Ｗ２が狭くなっている。図２の囲みａに示す通り、このように先端の幅Ｗ２を狭くしたときには、仰臥した使用者の両腕、特に前腕部はマット１５の両側に外れて位置することになる。このように腕がマット１５の呂側に位置することにより、身体を安定させる効果があり、また、胸を開き背筋を伸ばす効果を一層高めることができる。
【実施例２】
【００３８】
図３は、実施例２のマット一体型枕２０の形状を示す説明図である。実施例２も、実施例１と同様の素材で形成されている。
図３に示す通り、マット一体型枕２０は、枕２１とマット２５が一体成形されている。枕２１には、仰臥時に使用者の頸部を支えるための凸部２３が形成されている。凸部２３は、枕２１とマット２５との接合部分に横幅方向にわたって直線状に形成されている。
枕２１およびマット２５は、平面形状において一定の幅Ｗ３の矩形となっている。こうすることで、使用者は仰臥位置が横方向にずれることを心配せずにマット一体型枕を利用することができる。また、背面を支える荷重をほぼ均一化できる利点もある。もっとも、かかる形状にする必然性はなく、先端が狭い台形、三角形などとしてもよい。
【００３９】
図４は、実施例２のマット一体型枕２０の使用状態（平面）を示す説明図である。既に説明した通り、マット一体型枕２０においては、枕２１は、マット２５との境界部分に凸部２３が形成されている。凸部２３は、マット一体型枕２０の縦方向の概ね中央である。つまり、枕２１の長さＬ１とマット２５の長さＬ２は、ほぼ同等となっている。こうすることにより、使用者の胸部までを支えることができる。また、凸部をほぼ中央に形成することにより、枕の縦方向の長さを十分に確保することができるため、使用者に安心感を与えることができる。さらに、頭部を高く支持するのに十分な弾性力を与えることができ、頭部を適度な高さに安定して支えることが可能となる。
【００４０】
図５は、実施例２のマット一体型枕２０の使用状態（側面）を示す説明図である。マット一体型枕２０は、枕２１およびマット２５の上面が凸部２３を除き、ほぼ平面のスロープとなっている。こうすることにより、就寝時に、首への負担なく頭部を高くする姿勢をとることができ、快適な睡眠を得ることができる。スロープの傾斜角度は約１５度である。かかる角度にすることで、快適な睡眠を得るために最も効果的であることが見いだされた。もっとも傾斜角度は、これと異なる角度としても良い。また、マット２５の上面を湾曲させてもよい。
凸部２３の頂部は、仰臥した使用者の頸椎のＳ字カーブの頂部よりも高くなるように決められている。こうすることにより、仰臥したときに凸部２３が適度に変形し、使用者の頸部を支えることができる。凸部２３の高さは、素材の弾性力を踏まえて、使用者の頸部に過度な荷重がかからない範囲で決めればよい。
【００４１】
実施例１、２で説明した種々の特徴は、必ずしも全てを備えている必要はなく、本考案は、適宜、その一部を省略したり組み合わせたりして構成することもできる。また、本考案は、実施例で示した形状に限定されるものではなく、適宜、その趣旨を変更しない範囲で、種々の形状をとることが可能である。
【符号の説明】
【００４２】
１０、２０…マット一体型枕
１１、２１…枕
１２…凹部
１３、２３…凸部
１６ｃ…盛り上がり部
１６ｓ…両側部
１７…先端部
１５、２５…マット
【図１】
0003217333.tif 000003
【図２】
0003217333.tif 000004
【図３】
0003217333.tif 000005
【図４】
0003217333.tif 000006
【図５】
0003217333.tif 000007